(57)【要約】【課題】設定に応じて自動的に音量を調整することが可能な音量制御システム等を提供すること。【解決手段】テレビ１０が、音量の時間帯別最大許容値を示す時間帯別設定データ１２２と、現在の音量を示す現在値とに基づき、前記現在値が現在の時間帯の前記時間帯別最大許容値を超えているかどうかを判定する判定部１１２と、前記現在値が前記時間帯別最大許容値を超えている場合、前記現在の音量が前記時間帯別最大許容値以下になるように音量を制御する音量制御部１１６とを含んで構成される。【選択図】図１
2007201996.tif 000002
【特許請求の範囲】
【請求項１】
音量の時間帯別最大許容値を示す時間帯別設定データと、現在の音量を示す現在値とに基づき、前記現在値が現在の時間帯の前記時間帯別最大許容値を超えているかどうかを判定する判定部と、
前記現在値が前記時間帯別最大許容値を超えている場合、前記現在の音量が前記時間帯別最大許容値以下になるように音量を制御する音量制御部と、
を含むことを特徴とする音量制御システム。
【請求項２】
請求項１に記載の音量制御システムにおいて、
前記判定部は、コンテンツごとの音量の最大許容値であるコンテンツ別最大許容値を示すコンテンツ別設定データと、前記現在値とに基づき、前記現在値が現在のコンテンツの前記コンテンツ別最大許容値を超えているかどうかを判定し、
前記音量制御部は、前記現在値が前記時間帯別最大許容値を超えている場合または前記現在値が前記コンテンツ別最大許容値を超えている場合、前記現在の音量が各最大許容値以下になるように音量を制御することを特徴とする音量制御システム。
【請求項３】
コンテンツごとの音量の最大許容値であるコンテンツ別最大許容値を示すコンテンツ別設定データと、現在の音量を示す現在値とに基づき、前記現在値が現在のコンテンツの前記コンテンツ別最大許容値を超えているかどうかを判定する判定部と、
前記現在値が前記コンテンツ別最大許容値を超えている場合、前記現在の音量が前記コンテンツ別最大許容値以下になるように音量を制御する音量制御部と、
を含むことを特徴とする音量制御システム。
【請求項４】
請求項１〜３のいずれかに記載の音量制御システムにおいて、
前記音量制御部は、前記現在の音量を低下させる際に、所定時間経過後に音量が各最大許容値以下になるように音量を徐々に低下させることを特徴とする音量制御システム。
【請求項５】
コンピュータを、
音量の時間帯別最大許容値を示す時間帯別設定データと、現在の音量を示す現在値とに基づき、前記現在値が現在の時間帯の前記時間帯別最大許容値を超えているかどうかを判定する判定部と、
前記現在値が前記時間帯別最大許容値を超えている場合、前記現在の音量が前記時間帯別最大許容値以下になるように音量を制御する音量制御部として機能させることを特徴とするプログラム。
【請求項６】
コンピュータを、
コンテンツごとの音量の最大許容値であるコンテンツ別最大許容値を示すコンテンツ別設定データと、現在の音量を示す現在値とに基づき、前記現在値が現在のコンテンツの前記コンテンツ別最大許容値を超えているかどうかを判定する判定部と、
前記現在値が前記コンテンツ別最大許容値を超えている場合、前記現在の音量が前記コンテンツ別最大許容値以下になるように音量を制御する音量制御部として機能させることを特徴とするプログラム。
【請求項７】
請求項５、６のいずれかに記載のプログラムを記憶した、コンピュータ読み取り可能な情報記憶媒体。
【発明の詳細な説明】
【技術分野】
【０００１】
本発明は、音量制御を行うための音量制御システム、プログラムおよび情報記憶媒体に関する。
【背景技術】
【０００２】
映画の再生等における突発的な大音量出力を防止するため、種々の手法が考案されている。
【０００３】
例えば、特許文献１では、コンテンツの音量を検出し、音声出力レベルの変更が必要な場合に音量に応じて音声出力レベルを変更するコンテンツ再生装置が記載されている。
【特許文献１】特開２００３−１３４４１９号公報
【発明の開示】
【発明が解決しようとする課題】
【０００４】
しかし、特許文献１のように、コンテンツの音量に応じて音声出力レベルを変更する手法の場合、コンテンツ再生装置は、出力音量が大きい値に設定されていると、音声出力レベルの抑制効果を発揮できず、大きい音量のまま出力してしまう。
【０００５】
また、ユーザーの設定によって突発的な大音量出力を抑制する手法の場合、ユーザーにとっては、設定を変更することが煩わしい作業となる。
【０００６】
本発明の目的は、設定に応じて自動的に音量を調整することが可能な音量制御システム、プログラムおよび情報記憶媒体を提供することにある。
【課題を解決するための手段】
【０００７】
上記課題を解決するため、本発明に係る音量制御システムは、音量の時間帯別最大許容値を示す時間帯別設定データと、現在の音量を示す現在値とに基づき、前記現在値が現在の時間帯の前記時間帯別最大許容値を超えているかどうかを判定する判定部と、
前記現在値が前記時間帯別最大許容値を超えている場合、前記現在の音量が前記時間帯別最大許容値以下になるように音量を制御する音量制御部と、
を含むことを特徴とする。
【０００８】
また、本発明に係るプログラムは、コンピュータを、
音量の時間帯別最大許容値を示す時間帯別設定データと、現在の音量を示す現在値とに基づき、前記現在値が現在の時間帯の前記時間帯別最大許容値を超えているかどうかを判定する判定部と、
前記現在値が前記時間帯別最大許容値を超えている場合、前記現在の音量が前記時間帯別最大許容値以下になるように音量を制御する音量制御部として機能させることを特徴とする。
【０００９】
また、本発明に係る情報記憶媒体は、コンピュータにより読み取り可能な情報記憶媒体であって、上記プログラムを記憶したことを特徴とする。
【００１０】
本発明によれば、音量制御システム等は、時間帯別設定データの設定に応じて自動的に音量を調整することができる。これにより、ユーザーは、例えば、時間帯別設定データにおいて、深夜の時間帯のみ音量を抑制する設定を行っておくことにより、毎日深夜になる度に音量を抑制し、昼間になる度に音量を元の設定に戻す、といった手間をかけることなく、適切な音量で種々のコンテンツを再生することができる。
【００１１】
また、前記判定部は、コンテンツごとの音量の最大許容値であるコンテンツ別最大許容値を示すコンテンツ別設定データと、前記現在値とに基づき、前記現在値が現在のコンテンツの前記コンテンツ別最大許容値を超えているかどうかを判定し、
前記音量制御部は、前記現在値が前記時間帯別最大許容値を超えている場合または前記現在値が前記コンテンツ別最大許容値を超えている場合、前記現在の音量が各最大許容値以下になるように音量を制御してもよい。
【００１２】
また、本発明に係る音量制御システムは、
コンテンツごとの音量の最大許容値であるコンテンツ別最大許容値を示すコンテンツ別設定データと、現在の音量を示す現在値とに基づき、前記現在値が現在のコンテンツの前記コンテンツ別最大許容値を超えているかどうかを判定する判定部と、
前記現在値が前記コンテンツ別最大許容値を超えている場合、前記現在の音量が前記コンテンツ別最大許容値以下になるように音量を制御する音量制御部と、
を含むことを特徴とする。
【００１３】
また、本発明に係るプログラムは、コンピュータを、
コンテンツごとの音量の最大許容値であるコンテンツ別最大許容値を示すコンテンツ別設定データと、現在の音量を示す現在値とに基づき、前記現在値が現在のコンテンツの前記コンテンツ別最大許容値を超えているかどうかを判定する判定部と、
前記現在値が前記コンテンツ別最大許容値を超えている場合、前記現在の音量が前記コンテンツ別最大許容値以下になるように音量を制御する音量制御部として機能させることを特徴とする。
【００１４】
また、本発明に係る情報記憶媒体は、コンピュータにより読み取り可能な情報記憶媒体であって、上記プログラムを記憶したことを特徴とする。
【００１５】
本発明によれば、音量制御システム等は、コンテンツ別設定データの設定に応じて自動的に音量を調整することができる。これにより、ユーザーは、例えば、コンテンツ別設定データにおいて、音楽番組のみ音量を抑制する設定を行っておくことにより、音楽番組を試聴する度に音量を抑制し、別の番組になる度に音量を元の設定に戻す、といった手間をかけることなく、適切な音量で種々のコンテンツを再生することができる。
【００１６】
また、前記音量制御部は、前記現在の音量を低下させる際に、所定時間経過後に音量が各最大許容値以下になるように音量を徐々に低下させてもよい。
【００１７】
これによれば、音量制御システム等は、音量が急激に変化することを防止し、ユーザーに対して違和感を与えることなく快適な音量でコンテンツを再生することができる。
【発明を実施するための最良の形態】
【００１８】
以下、本発明を音量制御システムを有するテレビに適用した場合を例に採り、図面を参照しつつ説明する。なお、以下に示す実施例は、特許請求の範囲に記載された発明の内容を何ら限定するものではない。また、以下の実施例に示す構成の全てが、特許請求の範囲に記載された発明の解決手段として必須であるとは限らない。
【００１９】
図１は、本実施例におけるテレビ１００の機能ブロック図である。
【００２０】
テレビ１００は、画像信号（映像信号）、音声信号、リモコン等からのユーザーによる設定情報等を入力する入力部１３０と、処理部１１０と、記憶部１２０と、表示部１４０と、音声出力部１５０と、タイマー部１６０とを含んで構成されている。
【００２１】
また、記憶部１２０は、音量の時間帯別最大許容値を示す時間帯別設定データ１２２、コンテンツごとの音量の最大許容値であるコンテンツ別最大許容値を示すコンテンツ別設定データ１２４等を記憶している。
【００２２】
なお、時間帯別設定データ１２２の項目としては、例えば、「時間帯」、「最大許容値」等が該当する。より具体的には、例えば、「時間帯」が「２０時〜８時」の場合の「最大許容値」が「３０」であり、「時間帯」が「８時〜２０時」の場合の「最大許容値」が「４０」である。
【００２３】
また、コンテンツ別設定データ１２４の項目としては、例えば、「分野」、「最大許容値」等が該当する。より具体的には、例えば、「分野」が「音楽」の場合の「最大許容値」が「３５」であり、「分野」が「ニュース」の場合の「最大許容値」が「４０」である。
【００２４】
なお、時間帯別設定データ１２２およびコンテンツ別設定データ１２４の設定値は、テレビ１００の規定値（例えば、メーカーが設定した値等）であってもよいし、更新部１１４が、入力部１３０から入力されたユーザーの指定値に基づいて更新した値であってもよい。
【００２５】
また、処理部１１０は、現在の音量を示す現在値が時間帯別設定データ１２２およびコンテンツ別設定データ１２４における最大許容値を超えているかどうかを判定する判定部１１２と、記憶部１２０内のデータを更新する更新部１１４と、現在値が各最大許容値を超えている場合、現在の音量が各最大許容値以下になるように音量を制御する音量制御部１１６とを含んで構成されている。また、判定部１１２および音量制御部１１６は、音声出力部１５０から出力される音量を制御する音量制御システムとして機能する。
【００２６】
なお、上述した各部の機能を実装するためのハードウェアとしては例えば以下のものを採用可能である。例えば、入力部１３０としては、入出力端子、赤外線受光部等、処理部１１０としては、ＣＰＵ等、記憶部１２０としてはＲＡＭ、ＨＤＤ等、表示部１４０としては液晶パネル、ドライバ等、音声出力部１５０としては、スピーカー等、タイマー部１６０としては、システムタイマー等を採用可能である。
【００２７】
また、判定部１１２および音量制御部１１６としてテレビ１００のコンピュータを機能させるためのプログラムを記憶した情報記憶媒体２００からテレビ１００が当該プログラムを読み取って判定部１１２等の機能を実装してもよい。
【００２８】
なお、情報記憶媒体２００としては、例えば、ＣＤ−ＲＯＭ、ＤＶＤ−ＲＯＭ、ＩＣカード、ＲＯＭ、ＲＡＭ、メモリカード、ＨＤＤ等のレーザーや磁気等を用いた記憶媒体を適用できる。また、情報記憶媒体２００からのプログラムの読み取り方式は、接触式でも非接触式でもよい。
【００２９】
次に、これらの各部を用いた音量制御処理の流れについて説明する。
【００３０】
図２は、本実施例における音量制御処理の流れを示すフローチャートである。
【００３１】
判定部１１２は、タイマー部１６０のタイマー値に基づき、現在時刻を把握する（ステップＳ１）。
【００３２】
そして、判定部１１２は、現在の音量を示す現在値が、時間帯別設定データ１２２における現在時刻が該当する時間帯の最大許容値を超えているかどうかを判定する（ステップＳ２）。例えば、現在値が３５で、現在時刻が２１時で、２１時における最大許容値が３０の場合、現在値が最大許容値を超えている。
【００３３】
現在値が最大許容値を超えている場合、音量制御部１１６は、音量が時間帯別最大許容値以下になるように音量を制御する（ステップＳ３）。
【００３４】
図３は、本実施例における音量の変化を示す図である。
【００３５】
例えば、図３に示すように、判定時点において、音量が最大許容値を超えている場合、音量制御部１１６は、音量が所定時間（例えば、１０秒等）経過後に時間帯別最大許容値以下になるように音量を徐々に低下させるように音声出力部１５０を制御する。
【００３６】
また、判定部１１２は、音量が時間帯別最大許容値以下の場合、現在の音量を示す現在値が、コンテンツ別設定データ１２４における最大許容値を超えているかどうかを判定する（ステップＳ４）。例えば、現在値が３６で、音楽番組が試聴されており、分野が音楽の場合の最大許容値が３５の場合、現在値が最大許容値を超えている。
【００３７】
現在値が最大許容値を超えている場合、音量制御部１１６は、ステップＳ３の処理と同様に、音量がコンテンツ別最大許容値以下になるように音量を制御する（ステップＳ５）。
【００３８】
なお、判定部１１２は、例えば、入力部１３０に入力される電子番組情報等に基づいて分野等のコンテンツの内容を判定してもよい。また、判定部１１２は、ステップＳ２、Ｓ４における現在の音量を示す現在値として、一時点の音量を用いてもよいし、所定時間（例えば、１分間等）の音量の平均値を用いてもよい。
【００３９】
また、音量が、時間帯別最大許容値以下で、かつ、コンテンツ別最大許容値以下の場合、音声出力部１５０は、そのままの音量で音声を出力する（ステップＳ６）。
【００４０】
テレビ１００は、音声入力がなくなるまで（ステップＳ７）、ステップＳ１〜Ｓ７の処理を繰り返し実行する。
【００４１】
以上のように、本実施例によれば、テレビ１００は、時間帯別設定データ１２２の設定に応じて自動的に音量を調整することができる。これにより、ユーザーは、例えば、時間帯別設定データ１２２において、深夜の時間帯のみ音量を抑制する設定を行っておくことにより、毎日深夜になる度に音量を抑制し、昼間になる度に音量を元の設定に戻す、といった手間をかけることなく、適切な音量で種々のコンテンツを再生することができる。
【００４２】
また、本実施例によれば、テレビ１００は、コンテンツ別設定データ１２４の設定に応じて自動的に音量を調整することができる。これにより、ユーザーは、例えば、コンテンツ別設定データ１２４において、音楽番組のみ音量を抑制する設定を行っておくことにより、音楽番組を試聴する度に音量を抑制し、別の番組になる度に音量を元の設定に戻す、といった手間をかけることなく、適切な音量で種々のコンテンツを再生することができる。
【００４３】
また、本実施例によれば、ユーザーは、意図しない大音量が出力されることによる周囲への騒音の問題や、ヘッドフォンをしている場合の耳への傷害の問題等の発生を防止することができる。
【００４４】
また、本実施例によれば、テレビ１００は、音量が徐々に最大許容値になるように音声出力部１５０を制御することにより、音量が急激に変化することを防止し、ユーザーに対して違和感を与えることなく快適な音量でコンテンツを再生することができる。
【００４５】
特に、本実施例によれば、テレビ１００は、スピーカーのボリューム操作に関わらず、音量は常に最大許容値以下になるように制御することができるため、幼児等が誤ってボリューム操作を行って大音量を出力することを防止することができる。
【００４６】
なお、本発明は、上述した実施例に限定されず、種々の変形が可能である。
【００４７】
例えば、上述した実施例では、判定部１１２は、時間帯とコンテンツの両方の最大許容値を超えているかどうかを判定しているが、どちらか一方のみを判定してもよいし、コンテンツ別最大許容値の判定（ステップＳ４）を時間帯別最大許容値の判定（ステップＳ２）より先に行ってもよい。
【００４８】
例えば、上述した実施例では、判定部１１２は、時間帯とコンテンツの両方の最大許容値を超えているかどうかを判定しているが、どちらか一方のみを判定してもよいし、コンテンツ別最大許容値の判定（ステップＳ４）を時間帯別最大許容値の判定（ステップＳ２）より先に行ってもよい。
【００４９】
また、判定部１１２が音量が最小許容値未満かどうかを判定し、音量制御部１１６が、音量が最小許容値未満の場合、音量を徐々に上げていく制御を行ってもよい。
【００５０】
また、上述した実施例では、コンテンツとして音楽、ニュース等の分野を採用しているが、例えば、ＣＭ、映画等を採用してもよい。
【００５１】
また、音量制御システムを実装可能な装置は、テレビ１００に限定されず、例えば、ラジオ、スピーカー、ヘッドフォン、アンプ等の音を出力する種々の装置に実装可能である。
【００５２】
また、上述した音量制御システムの機能は、例えば、テレビ単体で実装してもよいし、複数の処理装置で分散して（例えば、テレビとＰＣとで分散処理）実装してもよい。
【図面の簡単な説明】
【００５３】
【図１】本実施例におけるテレビの機能ブロック図である。
【図２】本実施例における音量制御処理の流れを示すフローチャートである。
【図３】本実施例における音量の変化を示す図である。
【符号の説明】
【００５４】
１００  テレビ、１１２  判定部、１１４  更新部、１１６  音量制御部、１２２  時間帯別設定データ、１２４  コンテンツ別設定データ
【図１】
2007201996.tif 000003
【図２】
2007201996.tif 000004
【図３】
2007201996.tif 000005